(57)【要約】  ソール（２）とは独立して回転自在な回転手段（３、４）を備えたソール（２）を有する、特にゴルフ用の運動靴である。本発明は、前記回転手段（３、４）が足の親指を収容することを意図して、実体的にソール断面に位置する第一回転ディスク（３）を備えるという事実に存する。本発明はまた、一対の非対称靴（D、S）に関する。
2009506792.tif 000002
【特許請求の範囲】
【請求項１】
ソール（２）から独立に回転可能な回転手段を備えたソール（２）を有する特にゴルフをするための運動靴であって、前記回転手段が、足の親指を収容するために靴（ＤＤ，ＳＳ）の部分に位置する第一の回転ディスク（３）を備えることを特徴とする運動靴。
【請求項２】
前記回転ディスク（３）が複数の弾性支持体（３２）特に小さな弾性アームを備えることを特徴とする請求項１記載の靴。
【請求項３】
前記回転ディスク（３）が取り替え可能なグランドグリップ部材（３１）を備えることを特徴とする請求項１又は２記載の靴。
【請求項４】
前記ソールが、少なくとも第二回転手段（４）を備えることを特徴とする請求項１記載の靴。
【請求項５】
前記第二回転手段（４）が、少なくとも一つのアンカー状部材（４１）を備えたスパイクであることを特徴とする請求項４記載の靴。
【請求項６】
前記アンカー状部材（４１）がソール（２）から独立に移動可能であり、特に前記部材（４１）が回転可能であることを特徴とする請求項５記載の運動靴。
【請求項７】
前記少なくとも第二回転部材（４）が前記アンカー状部材（４１）の回転を止めるための停止部材（４２）を備えることを特徴とする請求項６記載の靴。
【請求項８】
前記少なくとも第二回転手段（４）は、その表面をカバーする足骨又は足指の領域に位置することを特徴とする請求項４ないし７のいずれか１に記載の靴。
【請求項９】
前記第二回転手段（４）が第４中足骨と、第５中足骨と、かかと骨の解剖学上の周辺と、第１中足骨の基礎とに位置する複数のスパイク（４）を備えることを特徴とする請求項８記載の靴。
【請求項１０】
前記少なくとも第二回転手段（４）が第１中足骨の基部と、かかと骨の解剖学上の周辺と、第５中足骨と、第４足指と、親指とに位置する複数のスパイク（４）を備えたことを特徴とする請求項８記載の靴。
【請求項１１】
前記靴が、実体的に三角形状を有し、実体的に第４、第５と第３足指の一部に位置する第二スパイク（１）を備えることを特徴とする請求項１ないし９のいずれか１に記載の靴。
【請求項１２】
前記ソール（２）が、実体的に前記ソール（２）の中央に、特に足の中央部に位置する第１ねじれ安定化部材（５）を備えたことを特徴とする請求項１ないし１１のいずれか１に記載の靴。
【請求項１３】
前記第１ねじれ安定化部材（５）が実体的に足のかかとを収容するためのソール（２）に向かう２つの枝分かれ（５１、５２）と、足の第１中足骨の基部を収容するためのソール（２）に向かう枝分かれ（５３）とを備えたＹ字形状を有することを特徴とする請求項１２記載の靴。
【請求項１４】
前記第１ねじれ安定化部材（５）がゴルフプレイヤーのスイング動作中の足のねじれ軸性に追従する形状を有することを特徴とする請求項１２又は１３に記載の靴。
【請求項１５】
前記第１ねじれ安定化部材（５）が前記ソール（２）のベース材料より硬い材料から作られていることを特徴とする請求項１２ないし１４のいずれか１に記載の靴。
【請求項１６】
前記第１ねじれ部材（５）がカーボンから作られていることを特徴とする請求項１２ないし１５のいずれか１に記載の靴。
【請求項１７】
前記靴（ＤＤ，ＳＳ）が前記ソール（２）の上半分に位置し、前記ソール（２）を前記足を横断する方向に交差する第１たわみ弾性部材（６）を備えたことを特徴とする請求項１ないし１６のいずれか１に記載の靴。
【請求項１８】
前記第１たわみ弾性部材（６）が実体的に前記第１たわみ弾性部材（６）の中央から始まり、ゴルフプレーヤーのスイング動作中に足に実体的に加わるねじれに追従する曲線へと延在する弾性部分（６１）を備えることを特徴とする請求項１７記載の靴。
【請求項１９】
前記弾性部分（６１）が前記足の第４足指を収容するためにソール（３）に向かうことを特徴とする請求項１８記載の靴。
【請求項２０】
前記靴がつま革安定器（７）を備えることを特徴とする請求項１ないし１９のいずれか１に記載の靴。
【請求項２１】
前記つま革安定器（７）が、前記つま革（１１）の一つ以上の領域において、前記靴（ＤＤ，ＤＳ）のつま革（１１）の曲げをブロックすることを特徴とする請求項２０記載の靴。
【請求項２２】
前記つま革安定器（７）が、前記ソール（２）に取り付けられた端部（７１）と、前記端部から立ち上がり前記曲げをブロックするプロファイル（７２１、７２２、７２３、７２４）とを備えることを特徴とする請求項２１記載の靴。
【請求項２３】
前記端部（７１）が、前記ソール上に取り付けられることを特徴とする請求項２２記載の靴。
【請求項２４】
前記曲げが第１及び／又は第５中足骨、及び／又は指骨、及び／又はかかとの内側と外側で制御されることを特徴とする第１請求項２１ないし２３のいずれか１に記載の靴。
【請求項２５】
前記ソール（２）が第２材料からなる第２層（２１）の上に第１材料からなる第１層（２２）を備え、前記第１材料は前記第２材料より柔らかく、前記第１層（２２）は前記靴の内側に向かっていることを特徴とする請求項１ないし２４のいずれか１に記載の靴。
【請求項２６】
前記靴が、前記靴の中軸又は外側面に沿って位置する隠れた固定手段（１３、１３ａ、１３ｂ）を備えることを特徴とする請求項１ないし２５のいずれか１に記載の靴。
【請求項２７】
請求項１ないし２６のいずれか１に従って作られた第１靴（ＤＤ，ＳＳ）と、前記第１靴（ＤＤ，ＳＳ）のソール（２）に対して非対称な少なくとも一つのソール（２’）を備えた第２靴（ＤＳ，ＳＤ）とからなる一対の運動靴。
【請求項２８】
前記第2靴（ＤＳ、ＳＤ）の前記ソール（２’）が、それぞれ前記ソールと独立して動作可能な少なくとも一つのアンカー状部材（４１）と、前記アンカー状部材（４１）の動きを止める停止手段（４２）とからなる複数のスパイク（４）を備えることを特徴とする請求項２７記載の一対の運動靴。
【請求項２９】
前記第2靴（ＤＳ，ＳＤ）が前記第1靴（ＤＤ，ＳＳ）の第1ねじれ安定化部材（５）と異なる形状を有する第2ねじれ安定化部材（５’）を備え、特に前記第2ねじれ安定化部材（５’）が前記第1ねじれ安定化部材（５）よりもソール（２’）のより小さな領域をカバーすることを特徴とする請求項２７又は２８に記載の一対の靴。
【請求項３０】
前記第2靴（ＤＳ，ＳＤ）は前記第1靴（ＤＤ，ＳＳ）の第1たわみ弾性部材（６）とは異なる形状を有する第2たわみ弾性部材（６’）を備え、特に前記第2たわみ弾性部材（６’）は横断バンドであることを特徴とする請求項２７ないし２９のいずれか１に記載の一対の靴。
【請求項３１】
前記第2の靴（ＤＳ，ＳＤ）は前記つま革（１１）の一つ以上の領域において前記第２靴（ＤＳ，ＳＤ）のつま革（１１）の曲げをブロックする第２つま革安定器（７’）を備え、前記第２つま革安定器（７’）は前記第１靴（ＤＤ，ＳＳ）の第１つま革安定器（７）とは異なる形状を有することを特徴とする請求項２７ないし３０のいずれか１に記載の一対の靴。
【請求項３２】
前記第２靴（ＤＳ、ＳＤ）のつま革（１１）の曲げが、第１中足骨及び／又はかかとの中間で横側面の領域で前記第２つま革安定器（７’）によってブロックされることを特徴とする請求項３１記載の一対の靴。
【請求項３３】
前記第１つま革安定器（７）が、かかとの外側の高さに、前記第２つま革安定器（７’）の対応するくぼみ（１４ｂ）よりも鋭いくぼみ（１４ａ）を有することを特徴とする請求項３１又は３２に記載の一対の靴。
【請求項３４】
前記第１靴（ＤＤ，ＳＳ）が前記第１靴（ＤＤ，ＳＳ）の外側に位置する隠れた固定手段（１３ａ）を備え、前記第２靴（ＤＳ，ＳＤ）が前記第２靴（ＤＳ，ＳＤ）の中央軸に位置する隠れた固定手段（１３ｂ）を備えることを特徴とする請求項２７ないし３３のいずれか１に記載の一対の靴。
【請求項３５】
前記第１靴（ＤＤ，ＳＳ）が、くさび状でそれぞれ丸いソール（２）の外側前面プロファイル（８１）と内側後面プロファイルと、くさび状でそれぞれ丸いソール（２）の内側前面プロファイル（８３）と外側後面プロファイルとを有することを特徴とする請求項２７ないし３４のいずれか１に記載の一対の靴。
【発明の詳細な説明】
【技術分野】
【０００１】
本発明は、請求項１の序文に従う運動靴に関する。
【背景技術】
【０００２】
いくつかの運動靴、例えばゴルフにおいて、バランスは非常に重要な要素である。
【０００３】
ゴルフを参照して、遠くからホールに向かってボールを送るために、プレーヤーはスイング即ち、人体のほとんどすべての主関節（肩、肘、膝、足首、足）を含む複雑な動作を行い、それによってプレイヤーはクラブを振り回してボールをヒットし、ホールに向かってボールを送る。人の周りのすべての力の制御された管理として理解されるバランスは、このスイング動作の間の絶対的な基礎となる。
【０００４】
既知の様に、足はバランスを探るために非常に重要な働きをする。地面上に身体を支える手段を意味すること以外に、プレイヤーのバランスとスタンス調整システムにとっての有用な本質的な情報源を提供するセンサーとして働く。バランスが重要なスポーツにおいて、（足の入った）靴は、同様に重要な役割を果たし、常に改良されてきた。
【０００５】
本発明は、特に非対称な靴、特にゴルフに関し、より詳細には右手打ちプレーヤーと左手打ちプレーヤーのどちらにも意図されており、右足用靴は技術的かつ構造的な特徴を有し、左足用靴とは異なっている。
【０００６】
米国特許出願４、９５３、３１１は、スイング動作中のバランスを向上させるために、ゴルファーの足が行う異なる機能を最適化した非対称デザインを開示している。非対称性は、本質的に右足と左足のアーチ部をサポートする異なるデザインから構成される。
【０００７】
しかし、この種の靴は、プレーヤーが歩く時に、むしろ不快なものになった。いくつかの特許、例えば米国特許５、５６６、４７８や米国特許３、３５４、５６１とフランス特許２、８２８、７９２には、ソールと独立した回転ディスクを備えたソールを有する運動靴が開示されている。この解決策は、支持する足、即ちほとんどの体重を支える足の回転を容易にするために、ゴルフシューズにも用いられ、より一般的には、スパイク付きシューズに用いられる。
【発明の開示】
【発明が解決しようとする課題】
【０００８】
しかしこれらのシューズには、回転ディスクが大きくなるため、体重を支えるためには堅いものとなり、歩くには不快な靴となるという欠点があった。
【０００９】
本発明の主目的は、従来あったこれら運動靴の欠点を克服することである。
【００１０】
本発明のさらなる目的は、特に効果的で製造容易なゴルフ用の非対称運動靴を提供することである。
【００１１】
本発明のさらなる目的は、スイング動作時に効果的で、快適に歩くことのできる特にゴルフ用の非対称運動靴を提供することである。
【課題を解決するための手段】
【００１２】
本発明のこれら目的は、本明細書の集約であるところの、添付された請求項の特徴を有する特にゴルフ用の運動靴によって達成される。
【発明を実施するための最良の形態】
【００１３】
以下に記載する運動靴の実施例は、特にゴルフに適用されるが、ゴルフをする時に足が要求される動きと本質的に同じ動きする他のスポーツに用いても良い。
【００１４】
図面を参照して、等しい又は等価な部品には同じ参照番号や記号を用いる。Ｄは、右打ちプレーヤー、即ち右足を軸にスイングする人々のための第一の一対の靴を示し、ＤＤは右打ちプレーヤーの第一の一対の靴Ｄの右足靴、ＤＳは右打ちプレーヤーの第一の一対の靴Ｄの左足靴を示す。
【００１５】
Ｓは、左打ちプレーヤー即ち左足を軸にスイングする人々のための第二の一対の靴を示し、ＳＤは左打ちプレーヤーの第二の一対の靴Ｓの右足靴を示し、ＳＳは左打ちプレーヤーの第二の一対の靴Ｓの左足靴を示す。
【００１６】
本発明によれば、特にゴルフ用運動靴は、ソールから独立して回転可能な回転手段を備えたソールからなり、発明的に言えば、前記回転手段は足の親指を収容することを意図して靴部分に位置する第一回転ディスクを備える。
【００１７】
図１に、本発明の第１実施例に係る右打ちの人々のための右足靴ＤＤのソール２の底面図を示す。
【００１８】
前記靴ＤＤの前面において、足の親指を収容するための靴部分に、即ち足を靴に入れた時に親指が置かれる領域に、回転手段３があり、それは図２や３により明確に見ることができる。
【００１９】
図３を特に参照して、回転手段３を構成する要素の詳細に関して以下に記載する。
【００２０】
特に回転手段３は、円板状の部材３０に結合したねじ込みヘッド３３を備えた蛸状の地面をグリップする部材３１からなる回転ディスクであって、そこから複数の弾性サポート３２、特に弾性アームが好ましくは等距離で枝分かれしている。
【００２１】
グリップ部材３１の中央には、図２に示すアーレンキー２５を収容するに適した孔、例えば六角形の孔を有するヒンジ３４があり、もし必要であればグリップ部材３１を置き換えることができる。
【００２２】
前記回転手段３は、ねじを切った円形孔３８ａを有する円形の王冠３８も備え、グリップ部材３１のねぎ込みヘッド３３をねじ締めすることができる。
【００２３】
中央円形孔３９ａを有するベアリング３９は、親指部分の靴のソール２の前部分にある窪んだ円形領域２８と前記円形王冠３８との間に設けられている。
【００２４】
前記グリップ部材３１は周辺孔３６を有する締めつけディスク３５によってソール２に締め付けられる。周辺孔３６は、ソール２の窪んだ円形領域２８の周辺孔２８ａと一致するように位置合わせされ、締め付け手段３７、例えばネジが孔３６、２８ａを通って挿入される。
【００２５】
実際のところ、回転手段３は「回転スパイク」即ちソール２から突出したサポートを意味し、スイング動作中地面に静止して、足が容易に回転することを可能にしている。
【００２６】
都合の良いことに、ソール２は少なくとも一つの第二回転手段を備える。図１と、より明確には図４に示す実施例によれば、この第二回転手段は少なくとも一つのアンカー状の部材４１からなるスパイク４である。
【００２７】
前記アンカー状部材４１は、ソール２から独立して動くことができ、特に回転することができる。
【００２８】
前記第二回転手段４は、前記アンカー状部材の動きをブロックする停止手段４２を備える。
【００２９】
図４に示す実施例において、前記停止手段４２は前記スパイク４の本体４３上に形成された突起物からなる。
【００３０】
異なる実施例において、前記本体４３はソール２に取り付けられ、ソール２自身の上に形成された集積部として得られる。前記アンカー状部材４１は、適切な固定手段、例えばネジによって本体４３に固定される。
【００３１】
図５は、前記第二回転手段４の別の実施例を示す。本実施例において、前記回転手段は３つのアンカー状部材４１を備えたスパイク４である。
【００３２】
図１の靴ＤＤの中央領域に示すように、前記第二回転手段４の他の実施例において、前記回転手段は２つのアンカー状部材４１からなるスパイク４である。
【００３３】
本発明によれば、靴は異なる数のアンカー状部材４１を有するスパイク４を備えることができ、異なる長さのスパイクを足の異なる領域をサポートするために用いることができる。スパイク４の選択は、好ましくは足の動きに依存し、靴がデザインされる対象であるスポーツに要求される動き、例えばゴルフのスイング動作をする間のスパイク４の上に置かれる足の骨の形状に依存する。
【００３４】
三角形状で、足の第４、第５と第３指の一部を覆う靴の一部のソール２の前部分に位置する別のスパイク１もある。前記スパイク１は、実体的にソール２のエッジと平行なベースを有し、ベースと対向する頂点は、ソール２の内側に向かう。前記スパイク１は、歩く時とスイングする時の両方において、前足の安定を提供する。
【００３５】
都合の良いことに、本発明に係る運動靴は、足の快適さを向上し、ねじれやたわみ動作に追従する手段を備える。
【００３６】
図１において、靴ＤＤは、実体的に前記ソール２の中央、特に足の中央に位置するねじれ安定部材５を有する。
【００３７】
外側において、ねじれ安定部材５は、足のかかと部分を収容するためにソール２に向かう２つの枝５１、５２と、中足のベースを収容するためにソール２に向かう枝５３と共に実体的にＹ字形状を有する。
【００３８】
より詳細には、ねじれ安定部材５は、ゴルフプレーヤー即ち右打ちプレーヤーの右足又は左打ちプレーヤーの左足が行うスイング中の負荷の下で、足のねじれ軸性に追従するに適した形状を有する。
【００３９】
好適な実施例によれば、ねじれ安定部材５は、ソール２の基部即ちスパイク４が設けられた靴ＤＤのソールの外側部の材料より高い硬度を有する材料、好ましくはカーボンからなる。
【００４０】
ソールの基部より堅い材料を使用することで、足と靴のねじれの間、ソール２が安定することを許容する。
【００４１】
好ましくは、靴ＤＤは、前記ソール２の上半分に位置し、足を横断するソール２と交差する屈曲弾性部材６をさらに備える。この部材は、中足指骨領域の靴の屈曲を容易にするために用いられる。
【００４２】
図１の屈曲弾性部材６は、実体的に屈曲弾性部材６の中央から始まり、ゴルフプレーヤーがスイング動作をする間の負荷の下で、足のねじれに追従するに適した曲線を追従するように延在する弾性部分６１を備える。
【００４３】
好ましくは、前記弾性部分６１は、第４の指を収容するためにソール２の部分に向かう。
【００４４】
図６に、右打ちの人達のための右足靴ＤＤの展開図を示す。
【００４５】
靴ＤＤの底部から始めて、現わされた部材は以下のようになる。
・回転ディスク３とアンカー状部材を備えたスパイク４からなるスパイク３、４のセット
・好ましくは２つの異なる材料からなる２層２１、２２で構成されるソール２、特に上部  層２２は下部層２１より柔らかい
・つま革安定装置７
・かかと足首シェル１２を固定するためのかかと収容部８
・つま革底９
・人間工学的足底インターフェース１０
・つま革１１
・固定手段１３
【００４６】
図７を参照して、つま革１１の安定装置７は、前記つま革１１の一つ以上の領域でつま革１１の曲げと対抗するように適合される。
【００４７】
つま革１１の安定装置７は、ソール２に固定される周辺端部７１と、前記端部７１から立ち上がるプロファイル７２１、７２２、７２３、７２４とを備え、つま革１１を適切な場所に包み込み、その曲げを制限する。
【００４８】
その機能を発揮するために、安定装置７は異なる材料で作られた多数の部材から構成され、端部７１は足サポート領域近くで柔らかく、プロファイル７２はつま革の安定を達成するに十分な程度に硬い。
【００４９】
好ましい実施例において、つま革安定装置７は単一材料からなる成形品として製造される。前記成形品は、曲げられてプロファイル７２が基部から立ち上がりつま革１１を安定化するようにしている。
【００５０】
前記成形品は、つま革１１の安定装置１１が前記ソールに取り付けられたくぼんだ基部を有するように作られる。もし後者が２層２１、２２を有するなら、前記安定装置７の基部は、前記ソールの上部層２２に置かれる。
【００５１】
つま革１１の安定装置７はまた、図１と７を比較して明らかに、スパイク１と４の形状と位置にマッチングした形状と位置を有するつま革領域７ａを有する。
【００５２】
図１と８において、成形されたカーボンねじれ棒５を示す。
【００５３】
図８のねじれ安定化部材５は、実体的にＸ字状であり、つま革１１の安定装置７の基部とねじれ安定化部材５の両方である中央領域７３を備える。
【００５４】
その動的／物理的特性からカーボンが選択され、ねじれ安定化を得ることを可能にしている。
【００５５】
中央領域７３から４つのプロファイル７２が、いったん折り返された後離れて、ソール２／つま革１１に作用する曲げ力を制御することを可能にしている。この点において、プロファイル７２の形状と位置とが、つま革１１の安定装置７のプロファイル７ａの形状と位置とに実質的に一致していることに気づくことができる。
【００５６】
特に、つま革１１の前記曲げは、第１及び／又は第五中足骨及び／又は指骨及び／又はかかとの内側と外側側面の領域でブロックされる。
【００５７】
都合の良いことに、ねじり安定化部材５の４つのプロファイル７２は、力を安定化部材５の中央領域７３に向かって運ぶ。
【００５８】
ねじれ安定化部材５のプロファイル７２が折り畳まれたつま革安定器７は、ソール２とつま革１１の両方を包み、よってそれらが結合を保つようになっている。
【００５９】
図９ａ、９ｂ、９ｃは、本発明に係る靴ＤＤの異なる斜視図を示している。
【００６０】
図９ａは、靴ＤＤの外側側面を示し、固定手段１３と、かかとの外側の領域でそれぞれつま革１１の曲がりをブロックするつま革安定器７のプロファイル７２１、７２２が見える。そこでは、安定器７は第一の後側部かかと骨の立方形の
反転安定化機能を発揮し、第５中足骨の領域においては、安定器７は前外側の中足骨の反転安定化機能を発揮している。
【００６１】
図９ｂは靴ＤＤの内側側面を示し、かかとの内側側面領域でつま革１１が曲がるのをブロックするつま革安定器７のプロファイル７２３と７２４が見え、ここで、安定器７は第一の後退足かかと骨下の反外返し安定化機能を発揮し、第一中骨足と指骨の領域で、安定器７は前足の第一中足指節関節反回外性安定化機能を発揮する。
【００６２】
図９ｃは、靴の背面、特にシェル１２を示し、かかとの外側面領域でそれぞれ
つま革１１が曲がるのをブロックするつま革安定器７のプロファイル７２１と７２３が見え、そこで安定器７は第二の後内側回外安定化機能を発揮し、かかとの内側領域でつま革安定器７は第二の後側部反転安定化機能を発揮する。
【００６３】
本発明の他の目的は、上述の様に作られた第一の靴と、前記第一の靴のソールと非対称なソールを備えた第二の靴とからなる一対の運動靴を提供することである。
【００６４】
以下の実施例において、前記第一靴はスイング動作中に負荷が足にかかるゴルフ靴に相当する。
【００６５】
図１０ａ、１０ｂを参照して、同一の要素は同じ番号を使用し、右打ちの人々のための一対の靴に関する上述の教示は、左打ちの人々のための一対の靴に直ちに転換することができる。
【００６６】
前記第一と第二靴の非対称性は、一連の要素として交互に又は一緒に備え、例えば
・スパイク１、４
・ねじれ安定化部材５
・たわみ部材６
・つま革安定器７
・シェル１２
・固定手段１３
である。
【００６７】
図１０ａに本発明に係る一対の靴の底面図を示す。より詳細には、図１０ａは右打ちの人々のための一対の靴Ｄに関する。
【００６８】
右足靴ＤＤは、ゴルフプレーヤーの右足を収容することを意図しており、図１から９を参照して記載されたように、回転手段３と、スパイク１、４とねじれ安定化部材５と、たわみ部材６とを有する。
【００６９】
左足靴ＤＳは、左足を収容することを意図しており、それぞれソールと独立して動く少なくとも一つのアンカー状部材４１と前記アンカー部材の動きを止めるための停止手段４２とを有する複数のスパイク４を備えたソール２’からなる。
【００７０】
図１０ａにおいて、左足靴ＤＳは一つ又は二つ又は三つのアンカー状部材４１を有するスパイク４を備える。スパイク４のレイアウトは、すべての位置で足の適切なサポートを確保する。
【００７１】
特に、右足靴ＤＤにおいて、スパイク４は、かかと骨の解剖学上の周辺の第４と第５中足骨と、第１中足骨の基礎の領域に位置し、それに対して左足靴ＤＳにおいて、それらは第４足指と親指の第５中足骨のかかと骨の解剖学上の周辺の第１中足骨の基礎の領域に位置する。
【００７２】
右足靴ＤＤに比較して、左足靴ＤＳは、右足靴ＤＤの対応する部材５、６と異なる形状を有するねじれ安定化部材５’とたわみ弾性部材６’とを備える。
【００７３】
特に、ねじれ安定化部材５’は右足靴ＤＤの対応する部材５と比較してソール２のより小さな領域をカバーし、部材６’は対応する部材６とは異なりＹ字形状を有さず、単に横断する帯になっている。
【００７４】
靴ＤＤの部材５、６と靴ＤＳの部材５’６’との形状の違いは、この例ではゴルフであるところの靴が設計されたスポーツにおいて人がバランスを保つために二本の足によって発揮される異なる機能に依存する。特に、右足靴ＤＤは右打ちの人々がゴルフにおいて典型的なスイング動作をする時に回転する台になる。
【００７５】
図１０ｂは、左打ちの人々のための一対の靴Ｓの底面図であって、左足靴ＳＳは、上述の右打ちの人々のための一対の靴Ｄの右足靴Ｄと同じ特徴を有し、同様に左打ちの人々のための右足靴ＳＤは、右打ちの人々のための左足靴ＤＳと同じ特徴を有する。
【００７６】
本発明によれば、右打ち又は左打ちの人々のための同じ一対の靴の２つの靴の間のみならず、右打ちの人々のための一対の靴と、左打ちの人々のための一対の靴との間にも非対称性がある。
【００７７】
再び右打ちの人々のための一対の靴Ｄを参照して、図１１ａと１１ｂとは異なる側面からの右打ちの人々のための左足靴ＤＳを示している。これらの図面において、つま革１１の安定器７’は異なる角度から見えている。
【００７８】
左足靴ＤＳのつま革安定器７’は、つま革の一つ以上の領域において、つま革１１の曲げと対抗するように用いられており、右足靴ＤＤのつま革安定器７と比較して異なる形状を有している。
【００７９】
左足靴ＤＳのつま革安定器７’は、側腹中間及び／又は中足骨のかかと骨方向につま革の曲げをブロックする。
【００８０】
図１１ａは左足靴ＤＳの外側面を示し、かかとの外側領域でそれぞれつま革１１の曲げをブロックするつま革安定器７’のプロファイル７２３’、７２４’を見ることができ、そこでは安定器７’は第一の副くるぶし反転安定化機能を発揮し、第五中足骨領域において安定器７’はｉｓｍａｔｉｃな第五中足骨反転安定化機能を発揮する。
【００８１】
図１１ｂは、靴ＤＳの内側面を示し、かかと内側でそれぞれつま革１１の曲げをブロックするつま革安定器７’のプロファイル７２１’と７２２’を見ることができ、そこでは安定器７’は第１後退足の踵骨下の反回外安定化機能を発揮し、第１中足骨の領域では、安定器７’は前足の第１中足骨の反回外安定化機能を発揮する。
【００８２】
本発明に係る一対の靴の２つの各靴のさらなる相違点は、つま革安定器７の形状である。
【００８３】
図１２ａを参照して、第１靴ＤＤ即ち右打ちの人々のための右足靴、又は左打ちの人々のための左足靴ＳＳは、本発明によれば、かかとの外側の高さにある窪み１４ａを有するつま革安定器７を備え、前記窪みは第二靴ＤＳ，ＳＤのつま革安定器７’にある対応する窪み１４ｂより鋭い。
【００８４】
さらに、ソール２の輪郭は内側と外側の側面で異なるスロープを有する。一例として、図１２ａの右打ちの人々のための左足靴ＤＳと図１２ｂの靴ＳＤは、ソール２のくさび状の外側前面８１と内側後面８４のプロファイルを有し、一方また逆に、ソール２の丸い内側前面８３と外側後面８２のプロファイルを有する。
【００８５】
それとは逆に、図１２ａの靴ＤＤと図１２ｂの靴ＳＳは、ソール２の丸い外側前面８１’と内側後面８４’のプロファイルを有し、一方その逆に、ソール２のくさび状の内側前面８３’と外側後面８２’のプロファイルを有する。
【００８６】
ソール２の丸いプロファイルは、回外又は反転動作を促進し、一方くさび状プロファイルはこの動きを固定する。
【００８７】
同様の考え方が靴ＤＤ，ＳＤとＳＤに適用される。
【００８８】
図１３ａと１３ｂに、右打ちの人々のための一対の靴Ｄと左打ちの人々のための一対の靴Ｓの正面図をそれぞれ示す。
【００８９】
これらの図において、同一の要素には同一の番号を付しており、右打ちの人々のための一対の靴に関する上述の教示は、左打ちの人々のための一対の靴の作成に直ちに移すことができる。
【００９０】
本発明に係る一対の靴の各二つの靴の間の更なる差異は、固定手段の位置である。
【００９１】
第１の靴ＤＤ、ＤＳ（回転ディスク３を備えるもの）は、前記第一の靴ＤＤ，ＤＳの外側に位置する隠れた固定手段１３ａを備え、一方で第二の靴ＤＳ，ＳＤは、前記第二の靴ＤＳ，ＳＤの中央軸に位置する隠れた固定手段１３ｂを備える。
【００９２】
形状や材料の変更は、ここに記載した運動靴に対する通常の知識を有する者が、明細書の記載や請求項の記載から導出される本発明の着想から離れることなくなされるものであることを理解されたい。
【図面の簡単な説明】
【００９３】
【図１】本発明に係る右打ちプレーヤーのための右足靴の底面図である。
【図２】本発明の第一の実施例に係る靴の回転手段を現わした図１の靴の詳細図である。
【図３】図２の回転手段の分解図である。
【図４】本発明に係る第二実施例の回転手段の図である。
【図５】本発明に係る第三実施例の回転手段の図である。
【図６】本発明の実施例に係る靴の展開図である。
【図７】本発明に係る靴のつま革安定装置である。
【図８】本発明に係る靴のねじれ棒である。
【図９】本発明に係る右打ちプレーヤーの右足靴の（ａ），（ｂ）は２つの側面図、（ｃ）は背面図である。
【図１０】本発明に係る（ａ）右打ちと（ｂ）左打ちプレーヤーそれぞれの一対の靴の底面図である。
【図１１】本発明に係る右打ちプレーヤーの左足靴の２つの側面図である。
【図１２】本発明に係る（ａ）右打ちと（ｂ）左打ちプレーヤーのそれぞれの一対の靴の背面図である。
【図１３】本発明に係るａ）右打ちと（ｂ）左打ちプレーヤーのそれぞれの一対の靴の正面図である。
【図１】
2009506792.tif 000003
【図２】
2009506792.tif 000004
【図３】
2009506792.tif 000005
【図４】
2009506792.tif 000006
【図５】
2009506792.tif 000007
【図６】
2009506792.tif 000008
【図７】
2009506792.tif 000009
【図８】
2009506792.tif 000010
【図９ａ】
2009506792.tif 000011
【図９ｂ】
2009506792.tif 000012
【図９ｃ】
2009506792.tif 000013
【図１０ａ】
2009506792.tif 000014
【図１０ｂ】
2009506792.tif 000015
【図１１ａ】
2009506792.tif 000016
【図１１ｂ】
2009506792.tif 000017
【図１２ａ】
2009506792.tif 000018
【図１２ｂ】
2009506792.tif 000019
【図１３ａ】
2009506792.tif 000020
【図１３ｂ】
2009506792.tif 000021
【手続補正書】
【提出日】平成18年6月8日(2006.6.8)
【手続補正１】
【補正対象書類名】特許請求の範囲
【補正対象項目名】全文
【補正方法】変更
【補正の内容】
【特許請求の範囲】
【請求項１】
第1回転手段（３）を取り付けた第1ソール（２）を備えた第1靴（ＤＤ，ＳＳ）と、前記第1靴（ＤＤ，ＳＳ）の前記第１ソール（２）に対して非対称な第2ソール（２’）を備えた第2靴（ＤＳ，ＳＤ）とからなる、特にゴルフをするための一対の運動靴であって、
前記第1回転手段（３）がスイング動作中に前記第1ソール（２）と独立に回転可能な回転ディスク（３）からなり、前記回転ディスク（３）は、足の親指を収納するための前記第1靴（ＤＤ，ＳＳ）の部分に位置する回転軸を有し、
前記第1（２）と第2（２’）ソールは、ソールから独立に移動可能な回転部材（４１）と、前記回転部材（４１）の動きを止めるための停止手段（４２）とからなる第2回転手段（４）を備えることを特徴とする、一対の運動靴。
【請求項２】
前記回転ディスク（３）が複数の弾性支持部（３２）特に小さな弾性アームからなることを特徴とする請求項１記載の一対の靴。
【請求項３】
前記回転ディスク（３）が交換可能なグランドグリップ部材（３１）からなることを特徴とする請求項１又は２に記載の一対の運動靴。
【請求項４】
前記回転部材（４１）は少なくとも一つのアンカー状部材（４１）を備えたスパイクであることを特徴とする請求項１記載の一対の運動靴。
【請求項５】
前記第2回転手段（４）が足骨又は足指に位置し、その表面を覆うことを特徴とする請求項１ないし４のいずれか１に記載の一対の運動靴。
【請求項６】
前記第1ソール（２）の第2回転手段（４）が、第4中足骨と、第5中足骨と、かかと骨の解剖学上の周辺と、第1中足骨の基部との領域に位置する複数のスパイク（４）からなることを特徴とする請求項５に記載の一対の運動靴。
【請求項７】
前記第2ソール（２’）の前記第２回転手段（４）が、第1中足骨の基部と、かかと骨の解剖学上の周辺と、第5中足骨と、第4足指と親指との領域に位置する複数のスパイク（４）からなることを特徴とする請求項５記載の一対の運動靴。
【請求項８】
前記第1靴（ＤＤ，ＳＳ）の前記第1ソール（２）が、実体的に三角形状を有し、実体的に第4、第5と第３足指の一部に位置する第2スパイク（１）を備えることを特徴とする請求項１ないし７のいずれか１に記載の一対の運動靴。
【請求項９】
前記第1靴（ＤＤ，ＳＳ）の第1ソール（２）が、実体的に前記ソール（２）の中央、特に足の中央部分に位置する第1ねじれ安定化部材（５）を備えることを特徴とする請求項１ないし８のいずれか１に記載の一対の運動靴。
【請求項１０】
前記第1ねじれ安定化部材（５）が足のかかとを収容するためのソール（２）に向かう2つの分岐（５１、５２）と、足の第1中足骨の基部を収容するための第1ソール（２）に向かう分岐（５３）とからなる実体的にＹ字形状を有することを特徴とする請求項９記載の一対の運動靴。
【請求項１１】
前記第1ねじれ安定化部材（５）が、ゴルフプレーヤーのスイング動作中に実体的に足のねじれ軸に追従する形状を有することを特徴とする請求項９又は１０に記載の一対の運動靴。
【請求項１２】
前記第1ねじれ安定化部材（５）が前記ソール（２）の基部の材料より硬い材料で作られることを特徴とする請求項９ないし１１のいずれか１に記載の一対の運動靴。
【請求項１３】
前記第1ねじれ安定化部材（５）がカーボンから作られることを特徴とする請求項９ないし１２のいずれか１に記載の一対の運動靴。
【請求項１４】
前記第2靴（ＤＳ，ＳＤ）が前記第1靴（ＤＤ，ＳＳ）の第1ねじれ安定化部材（５）とは異なる形状を有する第2ねじれ安定化部材（５’）を備え、特に前記第2ねじれ安定化部材（５’）が前記第1ねじれ安定化部材（５）よりも第2ソール（２’）のより小さな領域をカバーすることを特徴とする請求項９ないし１３のいずれか１に記載の一対の運動靴。
【請求項１５】
前記第1靴（ＤＤ，ＳＳ）が、前記第1ソール（２）の上半分に位置し、足を横断する方向に前記第1ソールと交差する第1たわみ弾性部材（６）を備えることを特徴とする請求項１ないし１４のいずれか１に記載の一対の運動靴。
【請求項１６】
前記第1たわみ弾性部材（６）が、実体的に前記第1たわみ弾性部材（６）の中央から始まり、ゴルフプレーヤーのスイング動作中の実体的な足のねじれに追従する曲線に沿って延在する弾性部分（６１）を備えることを特徴とする請求項１５記載の一対の運動靴。
【請求項１７】
前記弾性部分（６１）が、足の第4足指を収容するためのソール（３）に向かうことを特徴とする請求項１６記載の一対の運動靴。
【請求項１８】
前記第2靴（ＤＳ，ＳＤ）が、前記第1靴（ＤＤ，ＳＳ）の前記第1たわみ弾性部材（６）と異なる形状の第2たわみ弾性部材（６’）を備え、特に前記第2たわみ弾性部材（６’）が横断バンドであることを特徴とする請求項１５ないし１７のいずれか１に記載の一対の運動靴。
【請求項１９】
前記第１の靴（ＤＤ，ＳＳ）が第1つま革安定器（７）を備えることを特徴とする請求項１ないし１８のいずれか１に記載の一対の運動靴。
【請求項２０】
前記第1つま革安定器（７）は前記つま革（１１）の一つ以上の領域で前記第1靴（ＤＤ、ＳＳ）のつま革（１１）の曲げをブロックすることを特徴とする請求項１９記載の一対の運動靴。
【請求項２１】
前記第1つま革安定器（７）が前記ソール（２）に取り付けられた端部（７１）と、前記端部から立ち上がり前記曲げをブロックするプロファイル（７２１，７２２，７２３，７２４）とを備えることを特徴とする請求項２０記載の一対の運動靴。
【請求項２２】
前記端部（７１）が、前記ソール（２）上に取り付けられることを特徴とする請求項２１記載の一対の運動靴。
【請求項２３】
前記曲げが第１及び／又は第５中足骨、及び／又は指骨、及び／又はかかとの内側と外側で制御されることを特徴とする請求項２０ないし２２のいずれか１に記載の一対の運動靴。
【請求項２４】
前記第2の靴（ＤＳ，ＳＤ）は前記つま革（１１）の一つ以上の領域において前記第２靴（ＤＳ，ＳＤ）のつま革（１１）の曲げをブロックする第２つま革安定器（７’）を備え、前記第２つま革安定器（７’）は前記第１靴（ＤＤ，ＳＳ）の第１つま革安定器（７）とは異なる形状を有することを特徴とする請求項１９ないし２３のいずれか１に記載の一対の運動靴。
【請求項２５】
前記第２靴（ＤＳ、ＳＤ）のつま革（１１）の曲げが、第１中足骨及び／又はかかとの中間で横側面の領域で前記第２つま革安定器（７’）によってブロックされることを特徴とする請求項２４記載の一対の運動靴。
【請求項２６】
前記第１つま革安定器（７）が、かかとの外側の高さに、前記第２つま革安定器（７’）の対応するくぼみ（１４ｂ）よりも鋭いくぼみ（１４ａ）を有することを特徴とする請求項１９ないし２４のいずれか１に記載の一対の運動靴。
【請求項２７】
前記第1（２）又は第2（２’）ソールが、第２材料からなる第２層（２１）の上に第１材料からなる第１層（２２）を備え、前記第１材料は前記第２材料より柔らかく、前記第１層（２２）は前記第1（ＤＤ，ＳＳ）又は第2（ＤＳ，ＳＤ）靴の内側に向かっていることを特徴とする請求項１ないし２６のいずれか１に記載の一対の運動靴。
【請求項２８】
前記第1（ＤＤ，ＳＳ）又は第2（ＤＳ，ＳＤ）靴が、前記靴の中央軸又は外側に沿って位置する隠れた固定手段（１３，１３ａ、１３ｂ）を備えることを特徴とする請求項１ないし２７記載の一対の運動靴。
【請求項２９】
前記第１靴（ＤＤ，ＳＳ）が前記第１靴（ＤＤ，ＳＳ）の外側に位置する隠れた固定手段（１３ａ）を備え、前記第２靴（ＤＳ，ＳＤ）が前記第２靴（ＤＳ，ＳＤ）の中央軸に位置する隠れた固定手段（１３ｂ）を備えることを特徴とする請求項２８記載の一対の運動靴。
【請求項３０】
前記第１靴（ＤＤ，ＳＳ）又は第２靴（ＤＳ，ＳＤ）が、くさび状でそれぞれ丸いソール（２、２’）の外側前面プロファイル（８１、８１’）と内側後面プロファイル（８４，８４’）と、くさび状でそれぞれ丸いソール（２、２’）の内側前面プロファイル（８３、８３’）と外側後面プロファイルとを有することを特徴とする請求項１ないし２９のいずれか１に記載の一対の靴。
【国際調査報告】
2009506792.tif 000022
2009506792.tif 000023
2009506792.tif 000024
2009506792.tif 000025
2009506792.tif 000026